(57)【特許請求の範囲】
【請求項１】
広帯域電気通信システムにおいてＡＴＭスイッチコンピュータユニット間で内部トラフィックのセルを伝送するためのシステムであって、
少なくとも１つの入力ポートおよび複数の出力ポートを有し、入力ポートに加えられる内部トラフィックセルを出力ポートにスイッチするＡＴＭスイッチと、
接続を要求するパーティーによって送られた要求であって、所望のサービスカテゴリーと共にパーティーのトラフィックおよび質パラメータを含む要求に対する応答として、接続を認めることができるかどうかを決定し、認めることができる場合には、別のパーティーへの仮想の接続を確立する接続制御ユニットと、
他のＡＴＭスイッチコンピュータユニットのアプリケーションと通信する少なくとも１つのアプリケーションが動いていて、スイッチを制御する少なくとも１台のコンピュータユニットと、を備えるシステムにおいて、
各ＡＴＭスイッチコンピュータユニットは、ＡＴＭアダプテーション層機能を実行するエンティティを有し、そのエンティティは、アプリケーションによって生成された伝送されるべき情報を内部トラフィックセルのデータ部に挿入し、同様に、アプリケーションから受信されたセルのデータ部を結合して受信情報にし、
各ＡＴＭスイッチコンピュータユニットは、通信を処理する電気通信エンティティを有し、そのエンティティは、別のＡＴＭスイッチコンピュータユニットのアプリケーションに情報を伝送することを許可するようにとのアプリケーションの要求に対する応答として、所望のサービスカテゴリーと共にアプリケーションのトラフィックおよび質パラメータを接続制御ユニットに伝送し、それによって、アプリケーションは、ＡＴＭスイッチに接続を要求するパーティーとしての機能を果たすことができ、
全てのアプリケーションによって要求されるサービスカテゴリーは接続特定で選定され得ることを特徴とするシステム。
【請求項２】
アプリケーションによって使用されるトラフィックパラメータは接続特定で選定され、また、システム容量を使用する中で実際の加入者トラフィックによってもたらされる変更に従って変更され、それによって、内部トラフィックおよび加入者トラフィックは可能な限り効率的に統合され得る請求項１に記載のシステム。
【請求項３】
アプリケーションは、それが所望するトラフィックパラメータを電気通信エンティティに通知し、この情報に対する応答として、電気通信エンティティは、どのトラフィックパラメータを接続に対して認めることができるかを決める請求項１に記載のシステム。
【請求項４】
アプリケーションは所望のサービスカテゴリーを電気通信エンティティに通知し、この情報に対する応答として、電気通信エンティティは、どのサービスカテゴリーを接続で使用することができるかを決める請求項１または請求項３に記載のシステム。
【請求項５】
アプリケーションはサービスの所望の質に関する情報を電気通信エンティティに与え、この情報に対する応答として、電気通信エンティティは、どのサービスカテゴリーを接続で使用することができるかを決める請求項１または請求項３に記載のシステム。
【請求項６】
固定のサービスカテゴリーがアプリケーションに対して選定されており、それによって、同一のアプリケーションは所定のサービスカテゴリーを常に使用する請求項１に記載のシステム。
【請求項７】
同一の固定のサービスカテゴリーが全てのアプリケーションに対して選定されている請求項１に記載のシステム。
【請求項８】
アプリケーションはグループに分割され、同一の固定のサービスカテゴリーが同一のグループ内のアプリケーションに対して選定されており、それによって、同一のグループに属するアプリケーションは同一の所定のサービスカテゴリーを常に使用する請求項１に記載のシステム。
【請求項９】
アプリケーションはグループに分割され、同一のグループ内のアプリケーションは任意にサービスカテゴリーの一部を有し、それによって、同一のグループに属するアプリケーションは少なくとも２つのサービスカテゴリーを有して、その中から選定する請求項１に記載のシステム。
【請求項１０】
アプリケーション自体が、それに対してセットされたサービスカテゴリーセットを知り、それを電気通信エンティティに通知する請求項６から請求項９のいずれかに記載のシステム。
【請求項１１】
アプリケーションは、アプリケーションの識別子情報を電気通信エンティティに通知し、電気通信エンティティは、識別子情報に対する応答として、どのサービスカテゴリーをアプリケーションが使用することができるかを決める請求項６から請求項９のいずれかに記載のシステム。
【請求項１２】
仮想接続が全てのアプリケーションの間で恒久的に準備され、それによって、単一のアプリケーションからのサービス要求の後に、接続は開放されない請求項１に記載のシステム。
【請求項１３】
相互に通信するアプリケーションは異なるスイッチに位置し、それによって、内部トラフィックセルは加入者トラフィックセルに混じって、スイッチを相互に接続するリンクを渡って通過する請求項１に記載のシステム。
【発明の詳細な説明】
【０００１】
発明の分野
本発明は、電気機器通信機器内のトラフィック、および、複数の電気通信機器間の内部トラフィックをアレンジする（arrange）ことに関する。特に、本発明はＡＴＭノードといったような、広帯域電気通信ネットワークのノード内の内部トラフィックに関する。
【０００２】
発明の背景
最新のデジタル交換機のアーキテクチャを図１に図示する。交換機の基本機能は、交換機の入力ポートを正しい出力ポートに接続する、換言すると特定のインカミング回線のインカミングの呼を特定のアウトゴーイング回線のアウトゴーイングの呼に接続することである。実際には、特定の入力側のＰＣＭタイムスロットの情報が、出力側の特定のＰＣＭタイムスロットに接続される。バックボーン回線または加入者回線のどちらかであるインカミング回線は、回線インターフェースによって交換機に接続される。スイッチングマトリックスはインカミングおよびアウトゴーイングの音声チャネルのタイムスロットを相互接続し、また、それによって、交換機の内部データチャネルとシグナリングチャネルも接続される。
【０００３】
システムのコアは交換機制御であり、その機能は、図において通しの参照符号、ユニット１、…、ユニットＮで示される複数のユニットにわたって分散されている。各ユニットは、それ自体のタスクを実行する。このようなユニットの例として、スイッチングマトリックスを制御するユニット、入力および出力側で異なるタイプのシグナリングおよび監視を実行するシグナリングユニット、呼特定の課金データを収集するユニット、統計量を収集するユニット等が挙げられる。各ユニットは、少なくとも１つの中央処理ユニットＣＰＵ、バスアダプタおよびメモリを備える。すなわち、ユニットは実のところコンピュータを構成する。
【０００４】
これらのユニットは相互に交渉する（negotiate）ことができなければならず、従って、この交換機−内部のトラフィックは何らかの方法でアレンジされなければならない。最も一般的な方法は、図１で実施されているように、ユニットがバスアダプタを介して接続される専用の共通メッセージバスを用意することである。また、交換機ユニットによって別の交換機のユニットに伝送されるデータは内部トラフィックであると考えられる。この典型的な例は、呼準備段階に関して交換される様々なタイプのメッセージである。従って、場合に応じて、内部トラフィックによって共有される共通のリソースはメッセージバス、スイッチング段およびノード間の中継回線である。
【０００５】
更に、交換機は、システムのメンテナンスを行うオペレーションおよびメンテナンスユニット（ＯＡＭ（Operation and Maintenance Unit））を備える。
【０００６】
この従来技術のアーキテクチャは、ユニット間のトラフィックを伝達する共通のメッセージバスの使用を基礎とする。従って、そのトラフィックの主要部は、交換機を通る他のトラフィックから分離されて進む。交換機のスイッチングマトリックスは、ノードによって伝送されるシグナリングメッセージを他のノード、適切な回線に接続し、同様に、スイッチング段は、このノードの回線から受信されるメッセージを正しいユニットに伝送する。
【０００７】
上述のタイプとは別に、電気通信ネットワークのノードはＡＴＭ（非同期転送モード（Asynchronous Transfer Mode））ノードであっても良く、今日では、そのような事例がますます多くなっている。ＡＴＭは、コネクション型、パケット交換型、汎用目的およびスケーラブルデータ伝送方法であり、その方法では、情報は固定長のセルで送られる。セルは５バイトの長さのヘッダーと４８バイトの長さの情報部とから構成される。ヘッダーフィールドには、仮想経路インジケータ（ＶＰＩ（Virtual Path Indicator））および仮想チャネルインジケータ（ＶＣＩ（Virtual Channel Indicator））が含まれる。ＡＴＭスイッチでは、セルは論理入力チャネルから１または１よりも多数の論理出力チャネルへ転送される。論理チャネルは、物理的なリンク（例えば光ケーブル）の番号、および、このリンクに関するチャネル識別子、換言するとＶＰＩ／ＶＣＩ情報から成る。光ケーブルといったような１つの物理的な転送媒体は、複数の仮想経路ＶＰを含むことができ、そして、各仮想経路は複数の仮想チャネルＶＣを含む。
【０００８】
セルは固定長であるので、ＡＴＭスイッチにおける接続を、セルのヘッダーに基づいて機器レベルで、従って、非常に高速に実施することができる。異なる接続に属するセルは仮想経路（ＶＰＩ）および仮想チャネル（ＶＣＩ）識別子に基づいて相互に識別される。接続が準備される時、固定のルート、すなわち、接続のセルが送られる仮想リンクがネットワークにより決定される。ＶＰＩ／ＶＣＩ値に基づいて、セルはネットワークノードでスイッチされる。ＶＰＩ／ＶＣＩ値は伝送リンク特定のものであり、結果、通常、ＶＰまたはＶＣレベルでのスイッチングに関連して変わる。データ転送の終了時に、接続は開放される。
【０００９】
図２は、簡略化されたＡＴＭスイッチを図示する。それは、物理的な入力および出力ファイバが接続されている入力段と出力段、および、スイッチング段からなる。入力および出力段は外部ネットワークインターフェースをなす。インターフェースタイプは、ＵＮＩ（ユーザーネットワークインターフェース（User Network Interface））またはＮＮＩ（ネットワークネットワークインターフェース（Network Network Interface））のどちらかであり得る。入力段は、アドレス情報、すなわちＶＰＩおよびＶＣＩ識別子を入力リンクから受信されたセルから読み出し、それらを新しいＶＰＩ／ＶＣＩ値に変換する。それらを、出力段は、出力リンクに送られるセルのヘッダーに挿入する。変換は変換テーブルを使用して実行され、同時に、スイッチング段は、スイッチング段がどの出力リンクに当セルを送るべきかを通知される。
【００１０】
スイッチのソフトウェアは機能的なブロック、プロセッサユニット１、…、ｎにわたって分散され、コンピュータによって処理される。もっとも複雑なタスクは、中央処理装置が処理するように残されるのが良い。コンピュータは殆ど常に埋め込みタイプである。これは、表示ユニットおよび他の周辺装置が必要とされないことを意味する。
【００１１】
図が示すように、ＡＴＭスイッチのアーキテクチャはＳＴＭスイッチのものに非常に類似する。結局、それら両方の基本タスクは同一であり、例えば、情報を入力リンクから出力リンクに接続することである。
【００１２】
図３はＡＴＭスイッチをより詳細に図示する。光ファイバ７からの、ＵＮＩまたはＮＮＩタイプのどちらかであるセルは、回線を終端するＰＨＹ層の回線３１において受信される。ＰＨＹ（物理層（Physical Layer））はビットレベルで伝送システム特定のタスクを実行し、セルマスキング、セルヘッダーエラーチェック、セルレート適正化と共に伝送システムの各々に対するセルアダプテーションについての責を負う。
【００１３】
ＰＨＹ層の回線３１から、セルは、そのインターフェースによってＡＴＭ層の回路３２に進む。ＡＴＭ層のみがセルのヘッダーを取り扱い、そのタスクは、ユーザーネットワークインターフェース（ＵＮＩ（User Network Interface））でのフロー制御と共に、セルのスイッチング、マルチプレクシングおよびデマルチプレクシング、セルヘッダー生成および除去である。ＡＴＭ層の更なるタスクには、ブロックの同期化と共に、ヘッダーエラー検知および訂正が含まれる。ＡＴＭ層の上で、ＡＡＬ（ＡＴＭアダプテーション層（ATM Adaptation Layer））は、より上位の層のフレームを断片化し、それらを他端で再組み立てする。換言すると、ＳＡＲ（断片化および再組み立て（Segmentation and Reassembly））を実行する。
【００１４】
上記のインターフェースは、ＵＴＯＰＩＡのようなＡＴＭフォーラムによって標準化され、それは、統合ＡＴＭ回路の全製造業者が従う事実上の業界標準になっている。そのインターフェースによって、ＡＴＭセルデータのみが伝送され、それには、両方向転送によって必要とされる制御信号、すなわち、いわゆるハンドシェーキング信号が含まれる。
【００１５】
ＡＴＭ層の回路３２は、セルをＡＴＭスイッチング段３３の入力バッファに送る。そこから、その段は、それを、その段の他方の側、出力ポート３５に送る。出力ポートでは、セルのアドレスフィールド内のＶＰＩ／ＶＣＩ値が調べられ、セルが正しい仮想チャネルに伝送される。
【００１６】
図２のプロセッサユニットおよび他のノードのプロセッサユニットは相互に交渉することができなければならない。ノード−内部トラフィックをアレンジする１つの方法は、プロセッサユニットを共通バスに接続することであり、それは図１のスイッチの事例で実施されている。
【００１７】
別の方法は、図４に図示されるように、他のトラフィックの中で内部トラフィックセルを送ることである。ここで、プロセッサユニット、ユニット１、…、ユニットＮのアプリケーションはＡＡＬ／ＡＴＭおよびＰＨＹ層を介して相互に直接接続できる。これらのユニットの１つ（中央処理装置）は、スイッチング段を制御する制御コンピュータである。プロセッサユニットは、いずれか他のトラフィックソースとしてＡＴＭネットワークに接続されるので、ユニットで動いているアプリケーションは、情報を他のユニットのアプリケーションに伝送することができ、また、情報を相互から受信することができる。当然、プロセッサユニット内のアプリケーション間のデータ転送はコンピュータの内部バスを使用して行われるということは理解されるべきである。ＡＡＬ層はアプリケーションによって生成されたデータであって、別のプロセッサで動いているアプリケーションに向けられたデータをＡＴＭセルのデータ部の長さに断片化する。ＡＴＭ層はデータをパケット化してＡＴＭセルにし、それらにＶＰＩ／ＶＣＩ情報を付加する。物理層はパケットを前方に送る。
【００１８】
仮想接続準備段階において、ソースおよびネットワークは、どの種の動作がＡＴＭ層に要求されるかを取り決める。すなわち、それらはトラフィックの合意をする。ソースは、そのトラフィックパラメータ、および、それが必要とするサービスカテゴリーをネットワークに通知する。例えばコンピュータであるソースの特性は、トラフィックパラメータで示される。最初に、それらは接続許可制御（ＣＡＣ（Connection Admission Control））処理で使用され、次に、接続およびネットワークパラメータ監視に関して使用される。接続許可制御処理では、ネットワークは要求された接続を認めることができるかどうかを決定する。また、接続およびネットワークパラメータ監視では、ネットワークの構成要素は、ソースが通知したトラフィックパラメータ内にソースがあることを監視する。
【００１９】
今日では、接続を要求するトラフィックソースが少なくとも次のものをそのトラフィックパラメータとして示すことが合意されている。次のものとは、すなわちＰＣＲ（ピークセルレート（Peak Cell Rate））、ＳＣＲ（持続可能セルレート（Sustainable Cell Rate））、ＭＢＳ（最大バーストサイズ（Maximum Burst Size））、ＭＣＲ(最小セルレート(Minimum Cell Rate))およびＱｏＳ（サービスの質（Quality of Service））である。質パラメータには、ＣＶＤ（セル遅延変動（Cell Delay Variation））、ＭａｘＣＴＤ（最大セル転送遅延（Maximum Cell Transfer Delay））およびＣＬＲ（セル損失率（Cell Loss Ratio））が含まれる。
【００２０】
更に、ソースは、それが必要とするＡＴＭアダプテーション層（ＡＡＬ）サービスを示す。ＡＡＬプロトコルには、ＡＡＬ１、ＡＡＬ２、ＡＡＬ３／４およびＡＡＬ５が含まれる。添付の表１は、ＡＴＭフォーラムに従うＡＴＭ層サービスおよび関連のトラフィックパラメータを示す。
0004199929.tif 000002
注：×はパラメータが規定されているか、特性が使用されていることを示す。
表１
【００２１】
ＣＢＲ（一定ビットレート（Constant Bit Rate））は、固定のレートで伝送するリアルタイムトラフィックソースに向けられている。遅延およびその変動に関する属性が接続に対して保証される。
【００２２】
ＶＢＲ（可変ビットレート（Variable Bit Rate））は可変レートトラフィックソースのために意図されている。カテゴリーは、ｒｔ−ＶＢＲおよびｎｒｔ−ＶＢＲの２つのサブカテゴリーに分割されている。ここで、ｒｔはリアルタイムを表し、ｎｒｔは非リアルタイムを表す。ソースはバースティ（bursty）であり、それは、ソースが最大バーストサイズＭＢＲ（Maximum Burst Size）を通知しなければならないことを意味する。
【００２３】
ＡＢＲ（使用可能ビットレート（Available Bit Rate））は、遅延変動について厳格な制限を有しないバースティソースのために意図されている。それは、伝送遅延に関して何らの保証も与えられないことを意味する。ソースは、最小セルレート（ＭＣＲ（Minimum Cell Rate））を通知しなければならない。
【００２４】
ＵＢＲ（非特定ビットレート（Unspecified Bit Rate））は遅延−許容、低−優先順位トラフィックのために意図されている。
【００２５】
ネットワークリソースの使用は、トラフィックマネジメントおよびパフォーマンスマネジメントによって制御される。トラフィックマネジメントは、接続準備段階で合意されたトラフィックパラメータを監視することに基づいており、トラフィックソースに対して保証された特定のサービスの質が維持されるようにする。
【００２６】
スイッチ−内部トラフィックのセルが他のトラフィックの中で伝送される場合、内部トラフィックが他のトラフィックへの妨害を引き起こすという問題を共通リソースが引き起こす。もし、内部トラフィックが、例えば、加入者トラフィックＡＴＭセルのセル損失率を増大することによって、加入者トラフィックに対して意図されたサービスの質を減少させるならば、妨害が加入者トラフィックに対して引き起こされる。
【００２７】
本発明の目的は、内部トラフィックを可能な限り効率良く維持しつつ、内部トラフィックにより他のトラフィックに対して引き起こされる妨害を最小化することができるような装置である。目的は、内部トラフィックを加入者トラフィックと統合することであり、また、内部トラフィックおよび加入者トラフィックが共通のリソースを使用する場合に、個々のアプリケーションに対して最良の可能な接続の質を提供することである。
この目的は、従属請求項に記載されている仕様で達成される。
【００２８】
発明の概要
本発明は、内部接続の質が、それがどのサービスカテゴリーに属するかによって決まるという観察に基づいている。そういう事情により、内部接続の接続サービスの質を、それらの質の要求に可能な限り良く対応するようなサービスカテゴリーをアプリケーションに割り当てることによって最適化することができる。第２に、個々に変更可能な内部トラフィックのトラフィックパラメータをセットすることによって、内部トラフィックおよび加入者トラフィックを最良の可能な方法で統合することができる。
【００２９】
好ましい実施例では、サービスカテゴリーを接続特定で選定することができる。このような場合には、各アプリケーションは最良の可能なサービスカテゴリーを選定する。
【００３０】
第２の実施例では、接続特定のサービスカテゴリーは、全てのアプリケーションに対して同一であるように選定される。このような場合には、全てのアプリケーションは同一の所定のサービスカテゴリーを使用する。
【００３１】
第２の実施例を変更したものでは、アプリケーションはグループに分割され、同一のサービスカテゴリーが、グループ内の全てのアプリケーションに対して選定される。従って、１つのグループ内の同一のアプリケーションは常に同一の所定のサービスカテゴリーを使用する。
【００３２】
発明の詳細な説明
本発明を添付の概略図を参照してより詳細に説明する。
本発明を図４に関してより詳細に説明する。図のＡＴＭスイッチはＮ台のコンピュータ（プロセッサユニット１、…、プロセッサユニットＮ）および更にスイッチング段を制御する１台の制御コンピュータ（中央処理装置）を有する。
【００３３】
コンピュータユニットであるユニット１、…、ユニットＮは、他のユニットのアプリケーションと通信することを望むアプリケーションを備える。これは、スイッチング段により通信のためのＡＴＭ接続を開始することによって行われる。コンピュータユニットの各々はそれ自体のローカルエンティティを有し、それは「ポストオフィス」または「電気通信サーバー」と称される。エンティティをＡＡＬエンティティに埋め込むことができる。電気通信サーバーは、ユニットのアプリケーションに電気通信サービスを提供し、それによって、他のコンピュータユニットのアプリーケーションに対しての通信が行われる。従って、アプリケーションは、エンティティ「電気通信サーバー」に接続を準備するよう要求し、そして、このエンティティはＡＡＬ層で通信する。ＡＡＬ層により実施される接続準備要求は制御コンピュータにアドレス指定される。実際には、別個の制御コンピュータが存在する必要はなく、接続受諾および制御を処理するリソースマネージャーを備えるコンピュータが制御コンピュータとなる。ここでは、前記のリソースマネージャーは図４の中央処理装置コンピュータにあると仮定する。
【００３４】
接続開始をいずれかのＡＴＭトラフィックソースで開始することができる。要求するアプリケーションが別のアプリケーションと通信することを望む場合にはいつでも、それはＡＴＭ接続開始要求を制御コンピュータに送る。このような場合には、接続を要求するアプリケーション、例えばプロセッサユニット１で動いているアプリケーションは、受信するパーティーとして、情報が向けられる先の１または複数のアプリケーションの識別子をセットする。伝送するアプリケーションは、どのコンピュータで、受信するアプリケーションが動いているかを必ずしも知る必要はない。
【００３５】
ＡＴＭフォーラムによって規定される仕様に従ってサービスを要求するアプリケーションは、その要求でそれが望むサービスカテゴリーと共にトラフィックおよび品質パラメータを示す。これらに基づいて、接続許可制御（ＣＡＣ（Connection Admission Control））プロセスは、現存する接続の品質を低下させることなく、要求された値で接続を認めることができるかどうかをチェックする。接続許可制御プロシジャーは当技術分野において既知の技術である。
【００３６】
この接続準備方法の欠点は、制御コンピュータが接続を要求するアプリケーションによって要求された接続を開始するかどうかということを、接続を要求するアプリケーションが確信できないことである。無作為な方法で接続を許可することは、このような重要なスイッチのアプリケーションの場合には認められない。
【００３７】
無作為性を、電気通信接続を各コンピュータユニット、ユニット１、…、ユニットＮから各他のコンピュータユニットへ一度だけ確立して、確立された接続を恒久的に維持することによって除去することができる。従って、当然、可能ではないけれども、それらが個々のサービス要求の各々に関して確立されて開放されることはない。このような場合には、電気通信プロトコルはやり取りされるけれども、接続自体は既に存在する。
【００３８】
コンピュータによって使用されるスイッチ−内部接続は、加入者トラフィックと同一のリソースを使用する。制御コンピュータは、スイッチ内に十分なリソースがあるかどうか、また、接続を準備することができるかどうかをチェックしなければならない。必要条件は、加入者トラフィックおよびスイッチ−内部トラフィックが相互に妨害しないことである。これは、それ自体は既知のトラフィックマネジメントおよびポリシングを使用して本発明の方法により確実にされる。
【００３９】
本発明の好ましい実施例
本発明の好ましい実施例によると、第１に、内部トラフィックのトラフィックパラメータを必要であるように変更することができる場合、また、第２に、内部トラフィックのサービスカテゴリーを接続特定で選定することができる場合に、内部トラフィックおよび加入者トラフィックを最良の方法で相互に統合することができる。内部トラフィックの個々に変更可能なトラフィックパラメータは、最良の方法で内部トラフィックと加入者トラフィックとを統合する。内部トラフィックの個々に変更可能なサービスカテゴリーは、それに最良の可能な品質を与える。選定は全ての存在するサービスカテゴリーの中で実施される必要はなく、それらの適切な部分の中で実施されれば十分である。トラフィックパラメータおよびサービスの質はコンピュータユニットのプログラムで決定される。
【００４０】
図５は、好ましい実施例を図示する。プロセッサユニット、ユニット１、…、ユニットＮの各々は、通しでアプリケーションｎとして符号付けされた複数のアプリケーションを有する。アプリケーションの番号ｎは、当然、異なるプロセッサで変わり、１つのプロセッサは、それらの内のｘを有し、また、他のプロセッサはｙを有する。
【００４１】
トラフィックパラメータに関し、各アプリケーションはそれ自体の要求を有する。従って、例えば、コンピュータ、プロセッサユニット１で動いているアプリケーション、アプリケーション１は、アプリケーション２よりもずっと大きいピークセルレートＰＣＲを要求し、アプリケーション２の持続可能セルレートＳＣＲはアプリケーションｘのものよりも大きいかもしれない。アプリケーションがサービスを要求する場合、それは情報を別のコンピュータユニットで動いているアプリケーションに送ることを必要とするので、それはサービス要求を電気通信エンティティメールアプリケーションに伝送する。その要求は、アプリケーションのトラフィックパラメータおよび識別子を含む。トラフィックパラメータの代わりに、その要求は伝送要求に関する情報を含んでも良く、それによって、電気通信エンティティはそれらのための適切なパラメータを選定する。
【００４２】
電気通信エンティティは要求を受け取り、サービス要求をしたアプリケーションが許可された接続でどのサービスカテゴリーを使用することができるかを推定する。
【００４３】
トラフィックパラメータおよびサービスカテゴリーを選定するための異なる方法が図６Ａ−６Ｃに図示されている。
【００４４】
トラフィックパラメータを選定して、アプリケーションが、それらを、そのサービス要求で電気通信エンティティメールアプリケーションに通知するようにすることができる。代替案では、アプリケーションは、その伝送要求に関する１セットの仕様を通知し、それによって、電気通信エンティティは、それに基づいて適切なパラメータを決定する。
【００４５】
サービスカテゴリーに関して、３つの可能な選定方法がある。
図６Ａによると、アプリケーション自体が、どのサービスカテゴリーがそれにとって最も適切であるかを推定する。このような場合には、電気通信エンティティに送られる要求は、トラフィックパラメータに加えて、アプリケーションの所望のサービスカテゴリーに関する情報を含む。電気通信エンティティは、そのサービスカテゴリーが認められ得るかどうか、または、別のものが認められなければならないかどうかを調べ、それから、選定されたサービスカテゴリーのトラフィックパラメータをＡＡＬ層に通知する。
【００４６】
図６Ｂによると、アプリケーションは、そのサービスカテゴリー情報を電気通信エンティティに送る。電気通信エンティティは、この情報に基づいてサービスカテゴリーを決定し、それとトラフィックパラメータに関する情報をＡＡＬ層に送る。サービスカテゴリーは、例えば、異なるタイプのサービスの質のパラメータを列挙した表に基づいて決定され得る。アプリケーションによって与えられる情報は、表に規定された情報と比較され、最も適するサービスカテゴリーが選定される。
【００４７】
図６Ｃによると、アプリケーションは複数のグループに分割され、同一のタイプがグループ内の全てのアプリケーションに与えられている。電気通信エンティティは任意に各タイプに対して決められたサービスカテゴリーを列挙した表を有する。アプリケーションによって電気通信エンティティに送られるサービス要求は、トラフィックパラメータに加えて、アプリケーションタイプに関する情報を含む。電気通信エンティティは、そのタイプに対応するサービスカテゴリーを表から決定し、それとトラフィックパラメータに関する情報をＡＡＬ層に送る。
【００４８】
本発明の第２の実施例
図５に示される好ましい実施例の欠点は、アプリケーションのトラフィックパラメータとサービスカテゴリーを個別的に決定することが、実施の複雑さを増すことである。これを第２の実施例によって回避することができ、アプリケーションのトラフィックは同一の固定のサービスカテゴリーを使用するようにする。第１の選択肢では、どのコンピュータにアプリケーションが存在しているかに関わらず、同一のサービスカテゴリーが全てのアプリケーションに割り当てられる。各アプリケーションは、それが接続サービスを要求している時に、その割り当てられたトラフィックパラメータを与えられるが、アプリケーションはサービスカテゴリーに影響を及ぼすことはできない。これは単純な実施方法であるが、アプリケーションがトラフィックの質に関して有するかもしれない異なる要求を考慮しない。第２の選択肢では、アプリケーションはグループに分割され、グループ内の全てのアプリケーションは同一の固定のサービスカテゴリーを有する。この実施例でも、トラフィックパラメータおよびサービスカテゴリーはコンピュータユニットのプログラムによって決定される。
【００４９】
第２の実施例を図７に図示する。本図は図５に対応し、従って、符号および機能は、大部分が、図５に関連して既に説明されている。更に、図７は、アプリケーションがグループ化されている第２の実施例の第２の選択肢を示している。コンピュータユニット１で動いているアプリケーション１およびアプリケーション２、および、コンピュータユニット２で動いているアプリケーション１２およびアプリケーション２２はアプリケーショングループ１を形成する。同様に、ユニット１内のアプリケーションｘおよびユニット２内のアプリケーションｙは第２のアプリケーショングループ２を形成する。アプリケーショングループ１のサービスカテゴリーは、例えばＡＢＲ（Available Bit Rate（使用可能ビットレート））であり、それは、そのグループがバーストとしてデータを送るアプリケーションを含むことを意味する。遅延に対しては、何らの保証も与えられない。アプリケーショングループ２のサービスカテゴリーは、例えば、ＶＢＲ（Variable Bit Rate（可変ビットレート））であり、それは、そのグループ内のアプリケーションが可変レートでリアルタイムのトラフィックソースであり、転送遅延およびそれらの変動範囲に対して、保証が与えられることを意味する。ＶＢＲに関して２つの場合、すなわち、リアルタイム可変ビットレート（ｒｔＶＢＲ）および非リアルタイム可変ビットレート（ｎｒｔＶＢＲ）があり、前者は変動の範囲を保証する。トラフィックパラメータに関しては、各アプリケーションは、それ自体の要求を有することができる。
【００５０】
アプリケーションがサービスを要求する場合、それは情報を別のコンピュータユニットで動いているアプリケーションに送ることを必要とするので、それはサービス要求を電気通信エンティティメールアプリケーションに伝送する。その要求はアプリケーションのトラフィックパラメータおよび識別子を含む。トラフィックパラメータの代わりに、その要求は伝送要求に関する情報を含んでも良く、それによって、電気通信エンティティは適切なパラメータを選定する。
【００５１】
電気通信エンティティは、要求を受け取って、アプリケーションの識別子に基づき、要求するパーティーが、どのアプリケーションカテゴリーに属するかを推定する。その後、それは、どのサービスカテゴリーがそのグループに対して認められているかをチェックする。推定では、識別子および対応するサービスカテゴリーを含む表が使用され得る。
【００５２】
要求に関して選択可能な方法は、アプリケーション自体が、それがどのサービスカテゴリーを使用できるかを知り、サービス要求にサービスカテゴリーに関する情報を入れることである。両方の場合に、電気通信エンティティは、ＡＡＬ層へのそのサービス要求においてグループ特定のサービスカテゴリーを使用する。
【００５３】
本発明は、アプリケーションを有するコンピュータの台数を決して限定するものではなく、いずれの台数であっても良い。使用されるデータ転送プロトコルは決して限定されない。本発明を、ハードウェア（ＨＷ）、ソフトウェア（ＳＷ）またはそれらの結合により実施することができる。制御コンピュータまたはいずれかのアプリケーションの位置、および、アプリケーションまたは接続の数は決して限定されない。コンピュータおよびアプリケーションの一部は２もしくは２よりも多数の別個のＡＴＭスイッチに位置しても良い。
【００５４】
このような事例を図８に図示する。それは、スイッチ１にＮ台のコンピュータ、また、スイッチ２にＬ台のコンピュータを有する。アプリケーションは相互にスイッチ内で通信することができ、それによって、セルはＡＴＭスイッチング段を介して通過するのみであり、すなわち、アプリケーションはスイッチ間で通信することができる。本例の破線は、スイッチ１内のプロセッサユニットＮのアプリケーションＮとスイッチ２内のプロセッサユニットＬのアプリケーションＬとのデータ伝送接続を図示する。
【図面の簡単な説明】
【図１】  ＴＤＭスイッチを図示する。
【図２】  ＡＴＭスイッチを図示する。
【図３】  ＡＴＭスイッチのネットワーク接続を図示する。
【図４】  ＡＴＭスイッチの内部トラフィックのアレンジを図示する。
【図５】  本発明の好ましい実施例を図示する。
【図６Ａ】  サービス要求の内容を図示する。
【図６Ｂ】  サービス要求の内容を図示する。
【図７】  本発明の第２の実施例を図示する。
【図８】  ２つの交換機間でのアプリケーションのデータ伝送を図示する。
【図１】
0004199929.tif 000003
【図２】
0004199929.tif 000004
【図３】
0004199929.tif 000005
【図４】
0004199929.tif 000006
【図５】
0004199929.tif 000007
【図６Ａ】
0004199929.tif 000008
【図６Ｂ】
0004199929.tif 000009
【図６Ｃ】
0004199929.tif 000010
【図７】
0004199929.tif 000011
【図８】
0004199929.tif 000012